(57)【特許請求の範囲】
【請求項１】
流体の流入口及び流出口を有した流路を備えた本体と、該本体の流路内に着脱可能に装着され流体が流入する流入開口を有したカップ状のスクリーンと、該本体の側壁に設けられ上記スクリーンの出し入れを行うための出入用孔と、該出入用孔を開閉する蓋とを備え、上記本体の流入口側の流路を形成する側壁内周に上記スクリーンの装着時に該スクリーンの流入開口端面が押圧されて密着する受面を有した受部を形成してなるストレーナにおいて、
上記スクリーンの流入開口縁部を外側に突出したリング状のフランジを有して形成し、
上記本体の出入用孔に対向する側壁側に上記本体の受部の受面に対峙し該受面と共同して上記スクリーンのフランジが挿入される溝を形成する突起部を突設し、該突起部の上記受面側の内壁面を、上記フランジが該溝に挿入されたとき該フランジの裏側外周縁が当接するとともに、上記受面と該内壁面との間隔が上記フランジの挿入方向に沿って漸次小さくなるように傾斜形成し、
上記フランジが該溝に挿入された状態で、該フランジを上記本体の出入用孔側から該出入用孔に対向する側壁側に押圧して該フランジの裏側外周縁を上記突起部の内壁面に摺接させ、該内壁面により該フランジの開口端面を上記受面に押圧させる押圧手段を設け、
上記フランジの外側面の一部に該外側面から上記本体の流出口側に向けて傾斜する舌片を突設し、
上記本体の上記出入用孔側の受部であって上記受面の外側に上記舌片が押圧されて対峙する対峙面を設け、
上記押圧手段を、上記蓋の内側に設けられ、上記出入用孔の閉時に上記舌片を上記対峙面に対して押圧する円盤状の板バネで構成し、該板バネの外周縁部が上記舌片に弾接するように該板バネの中心を上記蓋の中心に取付けたことを特徴とするストレーナ。
【請求項２】
上記蓋の内側面に上記板バネの外径より小さい外径の突起を突設し、該突起の先端部に該板バネの中心を取付けたことを特徴とする請求項１記載のストレーナ。
【請求項３】
上記対峙面の両側に、該対峙面に対峙した舌片の側面に対面して該舌片の両側方への移動を規制するストッパを設けたことを特徴とする請求項１または２記載のストレーナ。
【請求項４】
上記本体の出入用孔の内周に雌ネジを形成し、上記蓋の外周に上記出入用孔の雌ネジに螺合する雄ネジを形成し、該蓋の雄ネジを上記出入用孔の雌ネジにねじ込むことにより該蓋を該出入用孔に取付けるようにしたことを特徴とする請求項１乃至３何れかに記載のストレーナ。
【請求項５】
上記突起部を、上記対峙面に対して対称位置に複数設けたことを特徴とする請求項１乃至４何れかに記載のストレーナ。
【請求項６】
上記スクリーンを、筒体及び該筒体の一方の開口を塞ぐ底板からなる網状部材と、上記フランジが形成され上記網状部材を着脱可能に保持するフレームとから構成したことを特徴とする請求項１乃至５何れかに記載のストレーナ。
【請求項７】
上記網状部材の筒体と底板とを分離可能にし、
上記フレームを、上記底板を支承する支承面を有したリング状の支承リングと、上記フランジを構成し筒体の開口端部が挿通される開放口を有したリング状の開口リングと、上記支承リング及び開口リングを連結し上記筒体を包持する空間を形成する複数のリブとで構成したことを特徴とする請求項６記載のストレーナ。
【請求項８】
上記筒体の一般部の外径をＤｓ、底板の外径をＤｂ、上記フレームの開放口の内径をＤｆとしたとき、Ｄｓ＜Ｄｆ＜Ｄｂに設定し、上記底板を上記リブ間から挿入して上記支承リングの支承面に装着可能に上記リブを設けたことを特徴とする請求項７記載のストレーナ。
【発明の詳細な説明】
【技術分野】
【０００１】
本発明は、水，油等の流体の流れる管路において、この流体内に含まれるゴミ等の異物を濾過するスクリーンを備えたストレーナに関する。
【背景技術】
【０００２】
従来、この種のストレーナとしては、例えば、本願出願人が先に提案したものが知られている（特許第４２７２９０７号公報に掲載）。図８に示すように、このストレーナＳａは、流入口２０１及び流出口２０２を有した流路を有した本体２００と、本体２００の流路内に着脱可能に装着され流体が流入する流入開口２１１を有したカップ状のスクリーン２１０とを備えて構成されている。スクリーン２１０は、前後一対のリング状のフレーム２１０ａに、筒状の網状部材２１０ｂを溶接により一体形成したものである。本体２００は、その流路を直線状とする管体で形成されており、側壁にはスクリーン２１０の出し入れを行なうための出入用孔２０３が形成され、流入口２０１側の流路を形成する側壁内周にはスクリーン２１０の装着時にスクリーン２１０の流入開口端面２１２が押圧されて密着する受面２０４を有した受部２０５が形成され、流路を形成する内壁には、本体２００の軸線と挿入時のスクリーン２１０の軸線とが同軸になるようにスクリーン２１０を支持してガイドするガイド突起２０６が設けられている。このガイド突起２０６のスクリーン２１０と当接する当接面はスクリーン２１０の外側に沿うように円周面に形成されている。
【０００３】
また、このストレーナＳａは、出入用孔２０３を開閉する蓋２０７を備え、スクリーン２１０の流入開口端面２１２を本体２００の受面２０４に押圧する押圧手段２２０を備えている。この押圧手段２２０は、本体２００の流路を形成する内壁であってスクリーン２１０の底部２１３よりも流出口２０２側に設けられる雌ネジ部２２１と、一端側２２４ａに雌ネジ部２２１に螺合される雄ネジ部２２２を有するとともに他端側２２４ｂに締め付け具により回転させられるボルト頭２２３を有したボルト２２４と、ボルト２２４に同軸に設けられボルト２２４の他端側２２４ｂに向けて末広がりの円錐台部２２５と、円錐台部２２５の円錐面２２５ａに当接するテーパ面２２６ａを有しボルト２２４の雌ネジ部２２１に対するねじ込みによりスクリーン２１０の流入開口端面２１２を本体２００の受面２０４に押圧する押圧部材２２６とを備えて構成されている。
【０００４】
スクリーン２１０を本体２００に装着するときは、蓋２０７を取り外して出入用孔２０３を開にし、スクリーン２１０を出入用孔２０３から本体２００内に入れてガイド突起２０６に載置し、スクリーン２１０の流入開口端面２１２を本体２００の受面２０４に対峙させる。それから、押圧手段２２０によりスクリーン２１０の流入開口端面２１２を本体２００の受面２０４に押圧する。詳しくは、ボルト２２４の雄ネジ部２２２を本体２００の雌ネジ部２２１に螺合し、ボルト２２４のボルト頭２２３を締め付け具で回転させてボルト２２４を本体２００にねじ込む。この際、円錐台部２２５の円錐面２２５ａが、押圧部材２２６に設けられるテーパ面２２６ａを徐々に押し下げ、押圧部材２２６はスクリーン２１０の底部２１３に固着され、またスクリーン２１０はガイド突起２０６に載置されていることからボルト２２４の軸方向に移動せず、ガイド突起２０６の円周面に沿って流入口２０１側に進み、スクリーン２１０の流入開口端面２１２が本体２００の受部２０５の受面２０４に密着する。その後、蓋２０７を出入用孔２０３に被せて出入用孔２０３を閉にする。
このようにスクリーン２１０が装着されたストレーナＳａに流入口２０１から流体が流入すると、この流体に混在する異物がスクリーン２１０で濾過されて流出口２０２から流出するようになる。
【０００５】
また、従来、この種のストレーナとしては、図示しないが、例えば、本願出願人が先に提案した特許文献２（特開２００６−７６１号公報）に記載されたものも知られている。
【先行技術文献】
【特許文献】
【０００６】
【特許文献１】特許第４２７２９０７号公報
【特許文献２】特開２００６−７６１号公報
【発明の概要】
【発明が解決しようとする課題】
【０００７】
しかしながら、この従来のストレーナＳａにおいては、本体２００内にボルト２２４を挿通し、スクリーン２１０の底部２１３よりも流出口２０２側に設けられた雌ネジ部２２１にボルト２２４をねじ込んで、このボルト２２４でスクリーン２１０の底部２１３を押してスクリーン２１０を本体２００に装着しているので、押圧手段２２０が比較的複雑で大型の構造となり、そのため、ストレーナＳａが大型化してしまうという問題があった。また、押圧手段２２０が比較的複雑で大型の構造となることから、この押圧手段２２０を小型のストレーナに適用することができず、それだけ、汎用性が悪いという問題もあった。
【０００８】
本発明は、このような問題点に鑑みてなされたもので、押圧手段の構造を簡単且つ小型にしてストレーナを小型化するとともに、押圧手段を小型のストレーナに適用可能にして汎用性の向上を図ったストレーナを提供することを目的とする。
【課題を解決するための手段】
【０００９】
このような目的を達成するため、本発明のストレーナは、流体の流入口及び流出口を有した流路を備えた本体と、該本体の流路内に着脱可能に装着され流体が流入する流入開口を有したカップ状のスクリーンと、該本体の側壁に設けられ上記スクリーンの出し入れを行うための出入用孔と、該出入用孔を開閉する蓋とを備え、上記本体の流入口側の流路を形成する側壁内周に上記スクリーンの装着時に該スクリーンの流入開口端面が押圧されて密着する受面を有した受部を形成してなるストレーナにおいて、
上記スクリーンの流入開口縁部を外側に突出したリング状のフランジを有して形成し、
上記本体の出入用孔に対向する側壁側に上記本体の受部の受面に対峙し該受面と共同して上記スクリーンのフランジが挿入される溝を形成する突起部を突設し、該突起部の上記受面側の内壁面を、上記フランジが該溝に挿入されたとき該フランジの裏側外周縁が当接するとともに、上記受面と該内壁面との間隔が上記フランジの挿入方向に沿って漸次小さくなるように傾斜形成し、
上記フランジが該溝に挿入された状態で、該フランジを上記本体の出入用孔側から該出入用孔に対向する側壁側に押圧して該フランジの裏側外周縁を上記突起部の内壁面に摺接させ、該内壁面により該フランジの開口端面を上記受面に押圧させる押圧手段を設け、
上記フランジの外側面の一部に該外側面から上記本体の流出口側に向けて傾斜する舌片を突設し、
上記本体の上記出入用孔側の受部であって上記受面の外側に上記舌片が押圧されて対峙する対峙面を設け、
上記押圧手段を、上記蓋の内側に設けられ、上記出入用孔の閉時に上記舌片を上記対峙面に対して押圧する円盤状の板バネで構成し、該板バネの外周縁部が上記舌片に弾接するように該板バネの中心を上記蓋の中心に取り付けた構成としている。
【００１０】
これにより、スクリーンを装着するときは、本体の蓋を取り外して出入用孔を開にし、スクリーンを出入用孔から流路内に入れ、スクリーンの舌片のある側を本体の出入用孔側に位置させて、スクリーンの舌片のある側とは反対側のフランジを溝に挿入しながら、この舌片を対峙面に対峙させる。この状態で、蓋を出入用孔に取り付ける。これにより、押圧手段としての板バネが舌片を押圧していき、フランジを本体の出入用孔側から出入用孔に対向する側壁側に押圧することができる。この場合、板バネは、円盤状に形成され、板バネの中心が蓋の中心に取り付けられているので、蓋の本体に対する回転位置がどの向きになっても、板バネによる押さえが行われる。
【００１１】
この舌片の押圧力により、舌片はフランジの外側面から本体の流出口側に向けて傾斜しているので、フランジの開口端面の出入用孔側を受面に押圧する軸方向の分力と、フランジを本体の出入用孔側から出入用孔に対向する側壁側に押圧する軸方向に直交する分力とが生じ、この軸方向に直交する分力によってフランジの裏側外周縁を突起部の内壁面に摺接させ、この内壁面によりフランジの開口端面の出入用孔側とは反対側を受面に押圧することができ、即ち、フランジをその円周の両側から受面に押圧することができるので、押圧力が均等に作用し、そのため、フランジの押さえが確実に行なわれる。
【００１２】
この場合、突起部の内壁面を利用してフランジの出入用孔側を押圧してスクリーンを装着でき、また、押圧手段を板バネという簡易な要素で構成できるので、従来のように押圧手段をスクリーンの底部を押すような複雑で大型の構造にしなくても済み、押圧手段の構造を簡単に且つ小型にすることができ、それだけ、ストレーナを小型化することができる。言い換えれば、スクリーンの装着を確実にする押圧手段を小型のストレーナに容易に適用することができ、そのため、汎用性を大幅に向上させることができる。
このようにスクリーンが装着されたストレーナに流入口から流体が流入すると、この流体に混在する異物がスクリーンで濾過されて流出口から流出するようになる。
【００１３】
そして、必要に応じ、上記蓋の内側面に上記板バネの外径より小さい外径の突起を突設し、該突起の先端部に該板バネの中心を取り付けた構成としている。板バネの外周縁部が突起の外側に突出するので、良く撓むことができ、それだけ、舌片の押さえを確実にすることができる。
この場合、上記板バネの中心に挿通孔を形成し、上記蓋の突起にボルトの雄ネジ部が螺合する雌ネジ部を形成し、該ボルトの雄ネジ部を板バネの挿通孔に挿通し上記雌ネジ部にねじ込むことにより該板バネを該突起に取り付けたことが有効である。板バネをボルトで取り付けるので、取り付けが容易に行われる。
【００１４】
また、必要に応じ、上記対峙面の両側に、該対峙面に対峙した舌片の側面に対面して該舌片の両側方への移動を規制するストッパを設けた構成としている。舌片を対峙面に対峙させた状態で、蓋を出入用孔に取り付ける際、押圧手段としての板バネが舌片を押圧していくが、板バネが舌片に対して摺接する場合にはその摩擦力により、舌片を介してスクリーンが移動し、押圧される舌片の位置がずれようとするが、舌片はストッパに衝止して移動を規制されるので、舌片が対峙面からずれることがなく、舌片が対峙面からずれて押圧が不十分になったり押圧が行われなくなる等の不具合が防止され、板バネによる舌片の押さえを確実に行わせることができる。
【００１５】
そしてまた、必要に応じ、上記本体の出入用孔の内周に雌ネジを形成し、上記蓋の外周に上記出入用孔の雌ネジに螺合する雄ネジを形成し、該蓋の雄ネジを上記出入用孔の雌ネジにねじ込むことにより該蓋を該出入用孔に取り付けるようにした構成としている。蓋をねじ込みにより取り付けるので、別途ボルトで取り付ける場合に比較して、取り付けを容易に行うことができる。特に、この蓋においては、蓋の回転によって、蓋の停止位置が異なるが、板バネは円盤状に形成されて蓋の中心に設けられているので、蓋の本体に対する締め付け回転位置がどの向きになっても、板バネによる舌片の押さえが行われる。
【００１６】
また、必要に応じ、上記突起部を、上記対峙面に対して対称位置に複数設けた構成としている。これにより、フランジを舌片のある部位を含むその円周の３箇所以上の箇所から受面に押圧し、しかも、突起部は対峙面に対して対称位置に位置することから、より一層、押圧力が均等に作用することになり、フランジの押さえが確実に行なわれる。
【００１７】
そして、また、必要に応じ、上記スクリーンを、筒体及び該筒体の一方の開口を塞ぐ底板からなる網状部材と、上記フランジが形成され上記網状部材を着脱可能に保持するフレームとから構成している。これにより、網状部材とフレームとを別体に形成し、フレームにフランジを形成したので、フランジを金属の鋳物製とすることでフランジの形成が容易になり、そのため、スクリーンの製造が極めて容易になる。
【００１８】
更に、必要に応じ、上記網状部材の筒体と底板とを分離可能にし、上記フレームを、上記底板を支承する支承面を有したリング状の支承リングと、上記フランジを構成し筒体の開口端部が挿通される開放口を有したリング状の開口リングと、上記支承リング及び開口リングを連結し上記筒体を包持する空間を形成する複数のリブとで構成している。
これにより、網状部材を筒体と底板とを分離可能にしたので、網状部材の掃除が極めて容易になる。また、フレームを支承リング，開口リング及び複数のリブで構成しているので、網状部材がフレームから露出する面積が大きくなり、そのため、スクリーンで濾過した流体を円滑に流出させることができる。
【００１９】
更にまた、必要に応じ、上記筒体の一般部の外径をＤｓ、底板の外径をＤｂ、上記フレームの開放口の内径をＤｆとしたとき、Ｄｓ＜Ｄｆ＜Ｄｂに設定し、上記底板を上記リブ間から挿入して上記支承リングの支承面に装着可能に上記リブを設けた構成としている。
これにより、網状部材をフレームに挿入するときは、底板をリブとリブの間からフレーム内に挿入して支承リングの支承面に装着させ、その後、筒体を開口リングの開放口からフレーム内に挿入して底板に接するまで押し込むことにより行なう。この場合、底板の外径が筒体の外径よりも大きく形成されているので、筒体で底板を押さえることができ、そのため、底板を筒体と支承リングとで挾持することができるので、底板を確実に保持することができる。
【発明の効果】
【００２０】
本発明のストレーナによれば、スクリーンを出入用孔から流路内に入れ、スクリーンのフランジに溝を挿入し、その後、蓋に設けた押圧手段としての板バネでスクリーンのフランジを本体の出入用孔側から出入用孔に対向する側壁側に押圧してスクリーンを本体に装着するので、フランジの裏側外周縁が突起部の内壁面を摺接して溝に食い込んでいき、この内壁面によりフランジの開口端面を受面に押圧することができるので、フランジが押えられる。この場合、突起部の内壁面を利用してフランジの出入用孔側を押圧してスクリーンを装着でき、押圧手段を板バネという簡易な要素で構成できるので、従来のように押圧手段をスクリーンの底部を押すような複雑で大型の構造にしなくても済み、押圧手段の構造を簡単に且つ小型にすることができ、それだけ、ストレーナを小型化することができる。言い換えれば、スクリーンの装着を確実にする押圧手段を小型のストレーナに容易に適用することができ、そのため、汎用性を大幅に向上させることができる。
【００２１】
また、本発明によれば、押圧手段としての板バネは、円盤状に形成され、板バネの中心が蓋の中心に取り付けられているので、蓋の本体に対する回転位置がどの向きになっても、板バネによる押さえを行うことができる。特に、本体の出入用孔の内周に雌ネジを形成し、蓋の外周に雌ネジに螺合する雄ネジを形成し、蓋をねじ込みにより取り付けるようにしたものでは、蓋の回転によって、蓋の停止位置が異なるが、板バネは円盤状に形成されて蓋の中心に設けられているので、蓋の本体に対する締め付け回転位置がどの向きになっても、板バネによる舌片の押さえを行うことができるという作用，効果を奏する。
【図面の簡単な説明】
【００２２】
【図１】本発明の実施の形態に係るストレーナを示す分解斜視図である。
【図２】本発明の実施の形態に係るストレーナのスクリーンにおいて、筒体の構成を示す図であり、（ａ）は縦断面図、（ｂ）は横断面図である。
【図３】本発明の実施の形態に係るストレーナのスクリーンを示す縦断面図である。
【図４】本発明の実施の形態に係るストレーナにおいて、スクリーンを装着する際の状態を示す縦断面図である。
【図５】本発明の実施の形態に係るストレーナにおいて、スクリーンを装着した状態を示す図であり、（ａ）は縦断面図、（ｂ）は蓋を取った状態の平面図である。
【図６】本発明の実施の形態に係るストレーナに係り、（ａ）は実施の形態に係るスクリーンを装着した状態を示す図５中Ａ部拡大断面図、（ｂ）は網状部材の拡径加工をしない比較例のスクリーンを装着した状態を示す図５中Ａ部相当拡大断面図である。
【図７】本発明の別の実施の形態に係るストレーナを示す縦断面図である。
【図８】従来のストレーナの一例を示す図である。
【発明を実施するための形態】
【００２３】
以下、添付図面に基づいて本発明の実施の形態に係るストレーナについて詳細に説明する。
図１乃至図６には、本発明の実施の形態に係るストレーナＳを示している。ストレーナＳの基本的構成は、流入口２及び流出口３を有した流路を有した本体１と、本体１の流路内に着脱可能に装着され流体が流入する流入開口６１ａを有したカップ状のスクリーン５０とを備えてなる。このスクリーン５０の流入開口縁部５０ａは、外側に突出したリング状のフランジ７３を有して形成されている。
【００２４】
本体１は、その流路を直線状とする管体であって鋳物で形成されている。この本体１の流入口２及び流出口３の内縁には、夫々、流体が流れる他の管体に本体１を取り付けるための雌ネジ４が形成されている。また、この本体１の側壁には、スクリーン５０の出し入れを行なうための出入用孔１０が設けられている。この出入用孔１０は円形状に形成されており、この出入用孔の内周に雌ネジ１１が形成されている。
【００２５】
出入用孔１０にはこれを開閉する蓋５が設けられる。この蓋５は、本体１と同様の鋳物で中心軸Ｐを有した柱状に形成されており、出入用孔１１に対応して形成されている。詳しくは、蓋５の外周には出入用孔１０の雌ネジ１１に螺合する雄ネジ６が形成されており、蓋５の雄ネジ６を出入用孔１１の雌ネジ１１にねじ込むことにより、蓋５を出入用孔１１に取り付けるようにしている。また、蓋５の上面には中心軸Ｐを軸心としスパナ等の工具が係合する六角柱状の頭部７が突設されている。一方、蓋５の内側下面には後述の板バネ９１の外径より小さい外径の円柱状の突起８が突設されている。また、蓋５の雄ネジ６の基端には出入用孔１０とのシールを行うリング状のパッキン９が備えられている。
【００２６】
また、本体１の流入口２側の流路を形成する側壁内周には、スクリーン５０の装着時にスクリーン５０の流入開口端面７４ｃが押圧されて密着する受面２１を有した受部２０が形成されている。更に、本体１の出入用孔１０側の受部２０であって受面２１の外側には、後述する舌片８０が押圧されて対峙する対峙面３０が形成されている。この対峙面３０は、受部２０の受面２１の外側を切欠いて形成され、本体１の流出口３側に向けて傾斜形成されている。また、対峙面３０の両側には、対峙面３０に対峙した舌片８０の側面に対面して舌片８０の両側方への移動を規制するストッパ３０ａが設けられている。ストッパ３０ａは対峙面３０を形成するために受部２０を切欠いた部分の両側壁面で構成されている。
【００２７】
更に、本体１の出入用孔１０に対向する側壁側には、本体１の受部２０の受面２１に対峙し受面２１と共同してスクリーン５０のフランジ７３が挿入される溝４１を形成する突起部４０が形成されている。この突起部４０は、その受面２１側の内壁面４０ａが、フランジ７３が溝４１に挿入されたときフランジ７３の裏側外周縁７３ａが当接するとともに、受面２１と内壁面４０ａとの間隔がフランジ７３の挿入方向に沿って漸次小さくなるように傾斜形成されている。また、この突起部４０は、対峙面３０に対して対称位置に一対設けられている。
【００２８】
スクリーン５０は、図１乃至図３，図５及び図６に示すように、一端側の開口を流入開口６１ａとして構成する筒体６１及び筒体６１の他端側の開口を塞ぐ底板６２からなる網状部材６０と、網状部材６０の流入開口端部６１ｂの外周を囲繞する開放口７４ａを有したフランジ７３を有し網状部材６０を挿脱可能に保持する筒状のフレーム７０とから構成されている。
【００２９】
網状部材６０は、例えば、ステンレス等の金属で形成されており、円筒状の筒体６１と円板状の底板６２とが分離可能に形成されている。網状部材６０を筒体６１と底板６２とを分離可能にしたので、網状部材６０の掃除が極めて容易になる。
また、網状部材６０の筒体６１と底板６２とは、夫々、多数の小孔６３を有した金属製パンチ板で形成された外側部材６４と、外側部材６４の内側に溶接により付設され金属製ネットで形成された内側部材６５とを備えて構成されている。図２中、符号６６は、筒体６１の継ぎ目をシールする溶着されたシール板である。内側部材６５を構成する金属製ネットの目の開口幅Ｍとしては、例えば、２０メッシュのもので、Ｍ＝１ｍｍ、４０メッシュのもので、Ｍ＝０．５ｍｍ、６０メッシュのもので、Ｍ＝０．３ｍｍ、８０メッシュのもので、Ｍ＝０．２ｍｍ、１００メッシュのもので、Ｍ＝０．１５ｍｍ、２００メッシュのもので、Ｍ＝０．０８ｍｍになる。そして、内側部材６５の金属製ネットとしては、ストレーナＳの使用条件に応じこれらの種々のメッシュのもの、例えば、Ｍ≦０．５ｍｍのものが選択される。実施の形態においては、内側部材６５を構成する金属製ネットは、例えば、１００メッシュ（１インチ四方に、１×１０4個の目を持つもの）以上で目の開口幅Ｍが０．１５ｍｍ以下のものが使用される。網状部材６０は、金属製パンチ板と金属製ネットとの２層構造なので、強度が高くなる。
【００３０】
また、網状部材６０において、網状部材６０の流入開口端部６１ｂの外周がフレームの開放口７４ａの内周に接合若しくは近接するように、網状部材６０の流入開口端部６１ｂの外径を、網状部材６０の一般部の外径よりも拡径している。流入開口端部６１ｂは、筒体６１の他端側から一端側に向けてテーパ状に拡径されている。拡径は、例えば、筒体６１をテーパ状の冶具にプレスなどで押圧して成形することにより行う。この場合、網状部材６０は、金属製パンチ板と金属製ネットとの２層構造なので、強度が高く、拡径加工が容易かつ確実に行うことができる。
【００３１】
更に、筒体６１においては、図１乃至図３に示すように、筒体６１の一般部の外径をＤｓ、筒体６１の流入開口端部６１ｂの外径をＤａ、フレーム７０の開放口７４ａの内径をＤｆ、網状部材６０の目の開口幅をＭとしたとき、Ｄｓ＜（Ｄｆ−Ｍ）≦Ｄａにしている。Ｄｓ＜Ｄｆ≦Ｄａにすることでも良い。スクリーンの大きさや、網状部材６０の目の開口幅Ｍによっても異なるが、寸法単位をｍｍとしたとき、Ｄｓ＝Ｄｆ−（０．３〜０．８ｍｍ）、Ｄａ＝Ｄｆ＋（−Ｍ〜０．５ｍｍ）が良い。望ましくは、Ｄａ＝Ｄｆ＋（０〜０．２ｍｍ）、より望ましくは、Ｄａ＝Ｄｆ＋（０〜０．１ｍｍ）である。
例えば、Ｍ≦０．１５ｍｍ（１００メッシュ）のものを選択したときにおいて、Ｄｆ＝４５．０ｍｍの場合、Ｄｓ＝４４．７ｍｍ、Ｄａ＝４５．０ｍｍになるようにしている。
【００３２】
フレーム７０は、底板６２を支承する支承面７１を有したリング状の支承リング７２と、フランジ７３を構成し筒体６１の流入開口端部６１ｂが挿通される開放口７４ａを有したリング状の開口リング７４と、支承リング７２及び開口リング７４を連結し筒体６１を包持する空間を形成する複数のリブ７５（実施の形態では４本）とを備えて構成されている。この支承リング７２，開口リング７４及び複数のリブ７５はステンレス製の鋳物で一体形成されている。網状部材６０とフレーム７０とを別体に形成し、フレーム７０にフランジ７３を形成したので、フランジ７３を金属の鋳物製とすることでフランジ７３の形成が容易になり、そのため、スクリーン５０の製造が極めて容易になる。
また、筒体６１の一般部の外径をＤｓ、底板６２の外径をＤｂ、フレームの開放口７４ａの内径をＤｆとしたとき、Ｄｓ＜Ｄｆ＜Ｄｂに設定し、底板６２をリブ７５間から挿入して支承リング７２の支承面７１に装着可能になるように、リブ７５を設けている。
【００３３】
そしてまた、開口リング７４には、その外側面７４ｂの一部に、対峙面３０に対応して外側面７４ｂから本体１の流出口３側に向けて傾斜する舌片８０が突設されている。舌片８０が後述の押圧手段９０により押圧されて対峙面３０に対峙した状態では、対峙面３０と舌片８０との間には僅かな隙間が生じるようにしている。この隙間により、舌片８０は撓むことができるので、押圧が確実に行われる。また、舌片８０が対峙面３０に対峙した状態では、舌片８０の側面はストッパ３０ａに対面する。
【００３４】
更に、本実施の形態に係るストレーナＳは、フランジ７３が溝４１に挿入された状態で、フランジ７３を本体１の出入用孔１０側から出入用孔１０に対向する側壁側に押圧してフランジ７３の裏側外周縁７３ａを突起部４０の内壁面４０ａに摺接させ、内壁面４０ａによりフランジ７３の流入開口端面７４ｃを受面２１に押圧させる押圧手段９０が設けられている。
【００３５】
この押圧手段９０は、図１，図４及び図５に示すように、舌片８０を押圧するように構成されている。押圧手段９０は、蓋５の内側裏面に設けられ、出入用孔１０の閉時に舌片８０を対峙面３０に対して押圧する弾性部材で構成されている。弾性部材は、円盤状の板バネ９１で形成されており、板バネ９１の外周縁部９１ａが舌片８０の上面に弾接するように、板バネ９１の中心が蓋５の中心に取り付けられている。蓋５の内側裏面には、板バネ９１の外径より小さい外径の突起８が突設されているが、この突起８の先端部（端面）に、板バネ９１の中心が取り付けられている。詳しくは、板バネ９１の中心には挿通孔９２が形成されており、一方、蓋５の突起８にはボルト９３の雄ネジ部９４が螺合する雌ネジ部９５が形成され、ボルト９３の雄ネジ部９４を板バネ９１の挿通孔９２に挿通して雌ネジ部９５にねじ込むことにより、板バネ９１は突起８に取り付けられる。符号９６はボルト頭と板バネ９１との間に介装されるワッシャである。板バネ９１をボルト９３で取り付けるので、取り付けが容易に行われる。
【００３６】
従って、この実施の形態に係るストレーナＳにおいて、スクリーン５０を本体１に装着するときは、図１乃至図３に示すように、先ず、網状部材６０をフレーム７０に挿入してスクリーン５０を形成する。詳しくは、筒体６１の一般部の外径をＤｓ、底板６２の外径をＤｂ、フレームの開放口７４ａの内径をＤｆとしたとき、Ｄｓ＜Ｄｆ＜Ｄｂに設定しているので、先ず、底板６２をリブ７５とリブ７５の間からフレーム７０内に挿入して支承リング７２の支承面７１に装着させ、その後、筒体６１を開口リング７４の開放口７４ａからフレーム７０内に挿入して底板６２に接するまで押し込む。これにより、底板６２の外径が筒体６１の外径よりも大きく形成されているので、筒体６１で底板６２を押さえることができ、そのため、底板６２を筒体６１と支承リング７２とで挾持することができるので、底板６２を確実に保持することができる。
【００３７】
この場合、筒体６１の一般部の外径をＤｓ、筒体６１の流入開口端部６１ｂの外径をＤａ、フレーム７０の開放口７４ａの内径をＤｆ、網状部材６０の目の開口幅をＭとしたとき、Ｄｓ＜（Ｄｆ−Ｍ）≦Ｄａにした構成としていることから、網状部材６０の一般部は小径なのでこれを容易かつ確実にフレーム７０の開放口７４ａから挿入することができるとともに、最後に網状部材６０の流入開口端部６１ｂをフレーム７０の開放口７４ａに挿入する際の抵抗が低減されるので、網状部材６０をフレーム７０に容易に挿入することができる。
【００３８】
特に、図３及び図６に示すように、最後に網状部材６０の流入開口端部６１ｂをフレーム７０の開放口７４ａに押し込む際には、流入開口端部６１ｂが開放口７４ａに接合若しくは近接するように拡径しているので、流入開口端部６１ｂの外周がフレーム７０の開放口７４ａに押されて縮径することなく挿入され、あるいは、流入開口端部６１ｂの外周がフレーム７０の開放口７４ａに押されて多少縮径して、フレーム７０の開放口７４ａに挿入されていく。このとき、流入開口端部６１ｂの外周がフレーム７０の開放口７４ａの内周に接合する場合には、フレーム７０の開放口７４ａに押されて多少の抵抗はあるが、流入開口端部６１ｂの挿入は最後の僅かな挿入なので、挿入作業に支障を与えることはない。そのため、網状部材６０をフレーム７０に挿入するだけの簡単な操作でよいので組付けが容易に行われる。また、流入開口端部６１ｂは筒体６１の他端側から一端側に向けてテーパ状に拡径しているので、網状部材６０の流入開口端部６１ｂをフレーム７０の開放口７４ａに押し込む際の抵抗がより一層低減され、網状部材６０をフレーム７０に容易に挿入することができる。網状部材６０がフレーム７０に挿入された状態では、流入開口端部６１ｂが開放口７４ａに接合若しくは近接する。
【００３９】
このようにして形成されたスクリーン５０を本体１に装着するときは、図４に示すように、本体１の蓋５を取り外して出入用孔１０を開にし、スクリーン５０を出入用孔１０から流路内に入れ、スクリーン５０の舌片８０のある側を本体１の出入用孔１０側に位置させて、スクリーン５０の舌片８０のある側とは反対側のフランジ７３を溝４１に挿入しながら、この舌片８０を対峙面３０に対峙させる。
【００４０】
その後、蓋５の雄ネジ６を出入用孔１０の雌ネジ１１にねじ込み、蓋５を出入用孔１０に取り付ける。これにより、押圧手段９０としての板バネ９１が舌片８０を押圧していき、フランジ７３を本体１の出入用孔１０側から出入用孔１０に対向する側壁側に押圧することができる。この場合、蓋５をねじ込みにより取り付けるので、別途ボルトで取り付ける場合に比較して、取り付けを容易に行うことができる。特に、この蓋５においては、蓋５の回転によって、蓋５の停止位置が異なるが、板バネ９１は、円盤状に形成され、板バネ９１の中心が蓋５の中心に取り付けられているので、蓋５の回転によって、蓋５の停止位置が異なっても、即ち、蓋５の本体１に対する締め付け回転位置がどの向きになっても、板バネ９１による押さえが行われる。
また、この場合、蓋５が回転するので、板バネ９１が舌片８０に対して弾接しながら摺接し、その摩擦力により、舌片８０を介してスクリーン５０が移動し、押圧される舌片８０の位置がずれようとするが、対峙面３０の両側にストッパ３０ａを設けたので、舌片８０はストッパ３０ａに衝止して移動を規制されることになる。そのため、舌片８０が対峙面３０からずれることがなく、舌片８０が対峙面３０からずれて押圧が不十分になったり押圧が行われなくなる等の不具合が防止され、板バネ９１による舌片８０の押さえを確実に行わせることができる。
【００４１】
そして、図５に示すように、この舌片８０の押圧力Ｗにより、舌片８０は開口リング７４の外側面７４ｂから本体１の流出口３側に向けて傾斜しているので、開口リング７４の流入開口端面７４ｃの出入用孔１０側を受面２１に押圧する軸方向の分力Ｗａと、開口リング７４を本体１の出入用孔１０側から出入用孔１０に対向する側壁側に押圧する軸方向を直交する分力Ｗｂとが生じ、この軸方向に直交する分力Ｗｂによってフランジ７３の裏側外周縁７３ａを突起部４０の内壁面４０ａに摺接させ、この内壁面４０ａにより開口リング７４の流入開口端面７４ｃの出入用孔１０側とは反対側を受面２１に押圧することができる。また、板バネ９１は、この外径より小さい外径の突起８に取り付けられているので、板バネ９１の外周縁部９１ａが突起８の外側に突出するので、良く撓むことができ、それだけ、舌片８０の押さえを確実にすることができる。
【００４２】
これにより、フランジ７３の裏側外周縁７３ａが突起部４０の内壁面４０ａを摺接して溝４１に食い込んでいき、この内壁面４０ａにより開口リング７４の流入開口端面７４ｃを受面２１に押圧することができるので、即ち、フランジ７３をその円周の両側から受面２１に押圧することができるので、押圧力が均等に作用し、そのため、フランジ７３の押さえが確実に行なわれる。また、フランジ７３を舌片８０のある部位を含むその円周の３箇所から受面２１に押圧し、しかも、突起部４０は対峙面３０に対して対称位置に位置することから、より一層、押圧力が均等に作用することになり、フランジ７３の押さえが確実に行なわれる。
【００４３】
この場合、突起部４０の内壁面４０ａを利用してフランジ７３の出入用孔１０側を押圧してスクリーン５０を装着でき、また、押圧手段９０を板バネ９１という簡易な要素で構成できるので、従来のように押圧手段をスクリーンの底部を押すような複雑で大型の構造にしなくても済み、押圧手段９０の構造を簡単に且つ小型にすることができ、ストレーナＳを小型化することができる。言い換えれば、スクリーン５０の装着を確実にする押圧手段９０を小型のストレーナＳに容易に適用することができ、そのため、汎用性を大幅に向上させることができる。
【００４４】
このようにスクリーン５０が装着されたストレーナＳに流入口２から流体が流入すると、この流体に混在する異物がスクリーン５０で濾過されて流出口３から流出するようになる。この場合、図６（ａ）に示すように、網状部材６０の流入開口端部６１ｂの外周がフレーム７０の開放口７４ａの内周に接合若しくは近接しているので、この流入開口端部６１ｂと開放口７４ａとの間に隙間が生じることがなく、また、生じても網状部材６０の網目の開口幅Ｍよりも小さくすることができることから、ゴミ等の異物がスクリーンに濾過されずに通過してしまう事態を防止することができ、濾過精度を向上させることができる。実施の形態では、Ｄｓ＜（Ｄｆ−Ｍ）≦Ｄａにしているので、筒体６１の流入開口端部６１ｂの外径Ｄａがフレーム７０の開放口７４ａの内径Ｄｆより小さい場合でも、クリアランスが網状部材６０の目の開口幅Ｍより大きくなることはないので、ろ過精度を損なうことがない。
【００４５】
即ち、図６（ｂ）に示すように、スクリーン５０の流入開口端面７４ｃを受部２０の受面２１に押圧しても、網状部材６０の流入開口端部６１ｂがストレートでその外周とフレーム７０の開放口７４ａの内周との間に網状部材６０の目の開口幅Ｍより大きな隙間があると、この隙間から流体が流れて、この隙間を流れる流体に含まれるゴミ等の異物がスクリーン５０の網状部材６０に濾過されずに通過してしまうことがあり、このため、網状部材６０に目の細かいネットを設けても、実質的に濾過精度を上げることができないことがあるが、本実施の形態に係るスクリーン５０では、これを防止することができる。
また、この場合、フレーム７０を支承リング７２，開口リング７４及び複数のリブ７５で構成しているので、網状部材６０がフレーム７０から露出する面積が大きくなり、そのため、スクリーン５０で濾過した流体を円滑に流出させることができる。
【００４６】
そして、ストレーナＳの使用に伴い、網状部材６０がしばしば損傷したり破損したりすることがあり、この場合には交換を行うが、フレーム７０と網状部材６０とが別体に形成されているので、フレーム７０はそのまま残し、網状部材６０のみを交換することで対処できるようになり、それだけ、コストダウンを図ることができる。
【００４７】
図７には、本発明の別の実施の形態に係るストレーナを示している。これは、上記のストレーナと異なって、蓋５が本体１に対して複数のボルト１００で押さえつけて固定されるタイプのものである。他の構成は上記と同様である。この場合にも、蓋５の向きが異なっても、板バネ９１は、円盤状に形成され、板バネ９１の中心が蓋５の中心に取り付けられているので、板バネ９１による舌片８０の押さえが行われる。
【００４８】
尚、上記実施の形態において、網状部材６０を筒体６１と底板６２とに分離したが必ずしもこれに限定されるものではなく、一体でも良い。また、上記実施の形態においては、網状部材６０の筒体６１と底板６２とを、夫々、外側部材６４と内側部材６５との２重構造にしたが、必ずしもこれに限定されるものではなく、単体で構成しても良く適宜変更して差し支えない。更にまた、上記実施の形態において、スクリーン５０を網状部材６０とフレーム７０とから構成したが、必ずしもこれに限定されるものではなく、一体に構成しても良く、適宜変更して差し支えない。尚また、上記実施の形態において、網状部材６０のネットを１００メッシュ以上で目の開口幅Ｍが０．１５ｍｍ以下のものを使用したが、必ずしもこれに限定されるものではなく、流路を流れる流体に含まれるゴミ等の異物を濾過して分離できれば良く、適宜変更して差支えない。
【符号の説明】
【００４９】
Ｓ  ストレーナ
Ｗ  押圧力
Ｗａ、Ｗｂ  分力
１  本体
２  流入口
３  流出口
４  雌ネジ
５  蓋
６  雄ネジ
８  突起
１０  出入用孔
１１  雌ネジ
２０  受部
２１  受面
３０  対峙面
３０ａ  ストッパ
４０  突起部
４０ａ  内壁面
４１  溝
５０  スクリーン
５０ａ  流入開口縁部
６０  網状部材
６１  筒体
６１ａ  流入開口
６１ｂ  流入開口端部
６２  底板
６３  小孔
６４  外側部材
６５  内側部材
７０  フレーム
７１  支承面
７２  支承リング
７３  フランジ
７３ａ  裏側外周縁
７４  開口リング
７４ａ  開放口
７４ｂ  外側面
７４ｃ  流入開口端面
７５  リブ
Ｄｓ  筒体６１の一般部の外径
Ｄａ  筒体６１の流入開口端部６１ｂの外径
Ｄｆ  フレーム７０の開放口７４ａの内径
Ｄｂ  底板６２の外径
Ｍ  網状部材６０の網目の開口幅
８０  舌片
８１  ボルト挿通孔
８２  雌ネジ
８３  ボルト
９０  押圧手段
９１  板バネ
９１ａ  外周縁部
９２  挿通孔
９３  ボルト
【図１】
0005774346.tif 000002
【図２】
0005774346.tif 000003
【図３】
0005774346.tif 000004
【図４】
0005774346.tif 000005
【図５】
0005774346.tif 000006
【図６】
0005774346.tif 000007
【図７】
0005774346.tif 000008
【図８】
0005774346.tif 000009